(57)【要約】【課題】  ハッチや機器が設置されている場所にもデッキの設置が可能で、なおかつハッチの開閉や機器の操作が可能なデッキを提供する。【解決手段】  複数本の根太（１ａ，１ｂ，１ｃ）を間隔的に配置し、その上にデッキ材（２ａ，２ｂ，…２ｆ）を載せて固着してなるガーデン、テラス又はルーフテラス等用デッキ（Ｄ）において、順次隣接する複数本のデッキ材を隣り合う根太に跨がる一定の面積に渡って切断分離して開口（３）を設け、切断分離されたデッキ材を切断前の形状に配置してそれらのデッキ材を連結材（４ａ，４ｂ）で連結して開口を開閉自在に閉鎖する蓋（５）を形成し、その蓋の裏面に蓋を閉めたときに前記開口に臨む根太を係合して前記蓋の横ずれを防止する手段（４ａ，４ｃ）を設けた。【選択図】      図１
2005097876.tif 000002
【特許請求の範囲】
【請求項１】
複数本の根太を間隔的に配置し、それらの根太の上にデッキ材を載せて固着してなるガーデン、テラス又はルーフテラス等用デッキにおいて、
順次隣接する複数本のデッキ材を隣り合う根太に跨がる一定の面積に渡って切断分離して開口を設け、
前記切断分離されたデッキ材を切断前の形状に配置してそれらのデッキ材をその下面において連結材で連結して前記開口を開閉自在に閉鎖する蓋を形成するとともに、その蓋の裏面に蓋を閉めたときに前記開口に臨む根太を係合して前記蓋の横ずれを防止する手段を設けたことを特徴とするデッキ。
【請求項２】
順次隣接する複数本のデッキ材をデッキの周辺のうち根太の長手方向と平行な辺の一部から２本目の根太の幅方向中間位置までに渡って切断分離して開口を設けたことを特徴とする請求項１に記載のデッキ。
【請求項３】
蓋の横ずれを防止する手段は、蓋のデッキ材を連結する連結材の一つとその間に前記開口に臨む根太を嵌合し得る間隔をおいて固着されたずれ止め部材とからなることを特徴とする請求項１又は２に記載のデッキ。
【請求項４】
開口に臨む根太は、その開口を人が通り抜けることができる間隔をもって配置されていることを特徴とする請求項１に記載のデッキ。
【請求項５】
蓋には、その上面側から操作できる手掛け具が設けてあることを特徴とする請求項１又は２に記載のデッキ。
【発明の詳細な説明】
【技術分野】
【０００１】
本発明は、ガーデン、テラス又はルーフテラス等に設置されるデッキに関する。
【背景技術】
【０００２】
この種の従来のデッキは、間隔をおいて平行に配置された複数本の根太の上に複数枚のデッキ材を載せて木ねじ又は固定金具等により各根太に固着してなるものである（特許文献１，２参照）。デッキの設置場所によっては、とくにルーフテラス用デッキの場合は、束柱の上端部に根太を支持するものもある。
【特許文献１】特開２００１−  ９０１７５号公報
【特許文献２】特開２００１−２７１４１７号公報
【発明の開示】
【発明が解決しようとする課題】
【０００３】
ところで、従来のデッキは、デッキ材の全てが根太に固着されている。従って、デッキ設置希望場所に各種施設又は機器が設置されている場合は、従来のデッキを設けることができない。さらに具体的に説明すると、例えば、上層階のルーフテラスには昇降のための上げ蓋付きのハッチ（開口）が設けられている場合があり、あるいはルーフテラスやガーデンテラスに水道メータ及び／又は水道栓を収容したボックス等の機器が設けれている場合があるが、従来のデッキをこのような場所に設置する場合は、ハッチの開閉や機器の操作が不可能になるので、設置不可能であった。
【０００４】
そこで、本発明は、ハッチや機器が設置されている場所にもデッキの設置が可能で、なおかつハッチの開閉や機器の操作が可能なデッキを提供することを目的としている。
【課題を解決するための手段】
【０００５】
上記目的を達成するため、本発明は、複数本の根太を間隔的に配置し、それらの根太の上にデッキ材を載せて固着してなるガーデン、テラス又はルーフテラス等用デッキにおいて、順次隣接する複数本のデッキ材を隣り合う根太に跨がる一定の面積に渡って切断分離して開口を設け、前記切断分離されたデッキ材を切断前の形状に配置してそれらのデッキ材をその下面において連結材で連結して前記開口を開閉自在に閉鎖する蓋を形成するとともに、その蓋の裏面に蓋を閉めたときに前記開口に臨む根太を係合して前記蓋の横ずれを防止する手段を設けたことを特徴としている。
【０００６】
請求項２の発明は、順次隣接する複数本のデッキ材をデッキの周辺のうち根太の長手方向と平行な辺の一部から２本目の根太の幅方向中間位置までに渡って切断分離して開口を設けたことを特徴としている。
【０００７】
請求項３の発明は、蓋の横ずれを防止する手段が、蓋のデッキ材を連結する連結材の一つとその間に前記開口に臨む根太を嵌合し得る間隔をおいて固着されたずれ止め部材とからなることを特徴としている。
【０００８】
開口に臨む根太は、その開口を人が通り抜けることができる間隔をもって配置されていることが望ましい。
【０００９】
デッキの蓋には、その上面側から把持して開閉操作できる手掛け具が設けてあることが望ましい。
【発明の効果】
【００１０】
請求項１の発明によれば、デッキの一部に開閉可能な蓋を備えたので、デッキ設置希望場所にハッチや機器が設置されている場合は、デッキの開口とハッチ又は機器設置位置を合致させることにより、ハッチでの昇降又は機器の操作等の障害にならずにデッキを設置することができる。また、蓋を閉めたときに根太と係合して蓋の横ずれを防止する手段を設けてあるので、開口を閉めている間に蓋が不用意にずれて開くことがなく、安全性が確保される。
【００１１】
請求項２の発明によれば、デッキの開口は、順次隣接する複数本のデッキ材をデッキの周辺のうち根太の長手方向と平行な辺の一部から２本目の根太の幅方向中間位置までに渡って切断分離して形成されるので、デッキ材の切断加工数が最小限で済み、蓋の作成が容易である。
【００１２】
請求項３の発明によれば、蓋の横ずれを防止する手段は、蓋のデッキ材を連結する連結材の一つとその間に開口に臨む根太を嵌合し得る間隔をおいて固着されたずれ止め部材とからなるので、少ない部材で蓋のずれを防止できる。
【００１３】
請求項４の発明によれば、蓋を開けると人の通り抜けができる開口が形成されるので、デッキをハッチが設けてあるルーフテラスに設置する場合は、デッキの開口とハッチを位置合わせすることにより、デッキをハッチからの昇降の障害にならないように設置することができる。
【００１４】
蓋に手掛け具を備えた場合（請求項５）は、デッキ上側から蓋の開閉を容易に行うことができる。
【発明を実施するための最良の形態】
【００１５】
次に、本発明の実施の形態に付いて図面に基づいて説明する。
図１は本発明の一実施例の斜視図、図２は同実施例の蓋を取り外して開口させた状態の斜視図、図３は蓋の裏面を示す斜視図である。
【００１６】
図示の例のデッキＤは、複数本の根太１ａ，１ｂ，１ｃを所要の間隔をもって平行に配置し、それらの根太の上面にデッキ材２ａ，２ｂ，２ｃ，２ｄ，２ｅ，２ｆを載せ、既知の固着手段により各デッキ材を根太に固着してなるものである。既知の固着手段には、前記特許文献等記載の、デッキ材に貫通した後、根太にねじ込まれる木ねじや、各根太の上面にねじなどにより固定され、各デッキ材の幅方向一端部を順次挟圧により固定する固定金具などを用いることができる。
【００１７】
図示のデッキＤは、ルーフテラス等に設置される場合の、束柱を有していないデッキであるが、各根太に束柱が設けられてもよい。
【００１８】
本発明によるデッキにおいては、デッキＤを構成するデッキ材２ａ，２ｂ，…，２ｆのうち、順次隣り合う複数本のデッキ材をデッキの周辺のうち根太の長手方向と平行な一辺から複数本目の根太の幅方向中間位置までの長さを取って切断し、分離して図２に示すように開口が設けられている。
図１の例では、端部のデッキ材２ａから３枚目のデッキ材２ｃまでを、右側から２番目の根太１ｂの幅方向中間位置において切断し分離して、デッキの右側手前の隅角部に矩形の開口３が形成されている。
【００１９】
前記切断分離された複数枚のデッキ材２ａ´，２ｂ´，２ｃ´は、図１及び図３に示すように、切断分離前の形状に配置され、その裏面の左右両側に配置された連結材４ａ，４ｂとねじ等（不図示）により連結されて、前記開口３と等しい大きさの蓋５が形成されている。その場合、蓋５の右側辺から右側の連結材４ａの左側の連結材４ｂ側の側面までの距離ｄ１は、デッキＤの右側辺から最初の根太１ａまでの距離ｄ２と等しくされている。また、左側の連結材４ｂから蓋５の左側辺までの距離ｄ３は、好ましくは２番目の根太２ｂの幅のほぼ二分の一（ｄ４）と等しいか、それよりも大きい距離とされている。
これにより、蓋５を開口３に位置を合わせて下ろすと、蓋の右側の連結材４ａは右の根太１ａの右側に当接し、左の連結材４ｂは２番目の根太１ｂの右側に当接又は近接した状態で嵌合し、蓋のデッキ材２ａ´，２ｂ´，２ｃ´が根太１ａ，１ｂの上面に受け止められて固定され、蓋５で開口３を閉鎖することができる。しかし、このままでは、蓋５のデッキから右方向のずれを阻止することはできない。そこで、蓋５の裏面には、右側の連結材４ａの左側に、その連結材４ａとの間に１番目の根太１ａの幅ｄ５と等しい間隔ｄ６をおいてずれ止め材４ｃが固着されている。
【００２０】
こうして、図１に示すように開口３に蓋５をしたときは、右側の連結材４ａとずれ止め材４ｃの間に１番目の根太１ａが嵌合して、蓋がずれないように固定される。
【００２１】
蓋５には、任意のデッキ材（２ａ´）の長手方向中央に、床下収納庫の蓋などに使用されているのと同様の既知の回転式フック等からなる手掛け具６が取り付けられて、その手掛け具６を指先で回転して把持して、蓋５を持ち上げて容易に開閉することができるようになっている。
【００２２】
図示の例では、蓋５がデッキＤの隅角部に設けられているが、蓋はデッキの周辺の中間位置に設けてもよく、また、デッキの周辺に接しない中間位置に設けることもできる。
【００２３】
蓋５がデッキを構成するデッキ材と同じ材料で構成してあるため、蓋を閉めた状態では、蓋の存在が目立たないので、デッキの美観が損なわれることがない利点がある。また、他の材料を用いないから、開口の開閉が可能なデッキの製造コストの上昇を最小限とすることができる。
【００２４】
閉めた蓋のずれを防止するには、連結材４ａとは別の部材を用いることも可能であり、その場合は、連結材４ａの固定位置が制限されない。
【図面の簡単な説明】
【００２５】
【図１】本発明の一実施例の斜視図。
【図２】同実施例の蓋を取り外して開口させた状態の斜視図。
【図３】蓋の裏面を示す斜視図。
【符号の説明】
【００２６】
Ｄ    デッキ
１ａ，１ｂ，１ｃ      根太
２ａ，２ｂ  …，２ｆ  デッキ材
３        開口
２ａ´，２ｂ´，２ｃ´      切断分離されたデッキ材
４ａ，４ｂ    連結材  
４ｃ          ずれ止め材
５            蓋
【図１】
2005097876.tif 000003
【図２】
2005097876.tif 000004
【図３】
2005097876.tif 000005